(57)【要約】【課題】手に当った後の水滴を含んだ風を水滴と風とに分離して風のみを排気することで、使用者への吹き返し風を低減するとともに手挿入部から外部への水滴飛散、外郭への水垂れも同時に防止でき、さらに手挿入部内の衛生性も向上できること。【解決手段】上部のみが開口されて手を挿入する手挿入部４を上側に有する本体外郭１と、この本体外郭１に内蔵されて高圧空気流を発生する高圧空気流発生装置２と、高圧空気発生装置２により発生された高圧空気流を手挿入部に噴出するノズル８と、本体外郭１の下側に設けられる水容器９と、手挿入部４と水容器９をつなぐ排水路とを備えた手乾燥装置において、ノズル８より吹出された空気を排気する排気路を手挿入部４に接続されるように手挿入部４の下側に形成し、この排気路に空気を外部へ逃がす開口部１１を形成した。【選択図】        図１
2008000211.tif 000002
【特許請求の範囲】
【請求項１】
上部のみが開口されて手を挿入する手挿入部を上側に有する本体外郭と、この本体外郭に内蔵されて高圧空気流を発生する高圧空気流発生装置と、この高圧空気発生装置により発生された高圧空気流を手挿入部に噴出するノズルと、前記本体外郭の下側に設けられる水容器と、前記手挿入部と前記水容器をつなぐ排水路とを備えた手乾燥装置において、
前記ノズルより吹出された空気を排気する排気路を前記手挿入部に接続されるように前記手挿入部の下側に形成し、この排気路に空気を外部へ逃がす開口部を形成したことを特徴とする手乾燥装置。
【請求項２】
前記開口部への水の通過を遮る遮水手段を設けることを特徴とする請求項１に記載の手乾燥装置。
【請求項３】
前記排水路および前記排気路を共用する排水・排気路を設けたことを特徴とする請求項１または２に記載の手乾燥装置。
【請求項４】
前記排水・排気路は、本体外郭の左右の側壁内部に形成されることを特徴とする請求項３に記載の手乾燥装置。
【請求項５】
前記開口部は、前記排水・排気路の途中に形成され、空気を側方に排気することを特徴とする請求項４に記載の手乾燥装置。
【請求項６】
前記遮水手段は、少なくとも開口部の下側を除いた周囲に形成される突出したリブ状であることを特徴とする請求項５に記載の手乾燥装置。
【請求項７】
前記遮水手段は、下部が開口されて開口部を覆うように形成されていることを特徴とする請求項５に記載の手乾燥装置。
【請求項８】
前記開口部は、前記排水・排気路の水容器の外側に形成され、空気を下側に排気することを特徴とする請求項４に記載の手乾燥装置。
【請求項９】
前記遮水手段は、前記排水・排気路の途中に設けられ、装置内側に向かって下り傾斜を有する庇体であることを特徴とする請求項５または請求項８に記載の手乾燥装置。
【請求項１０】
前記排気路は、本体外郭の左右側面部に形成され、前記排水路は、左右側面部に形成された前記排気路の本体内側に形成され、前記遮水手段は、手挿入部に形成されて前記排気路につながる排気口の上側に形成されて、本体外郭の側面部から下り傾斜するように延在される庇体であることを特徴とする請求項２に記載の手乾燥装置。
【請求項１１】
前記開口部は、排気路に形成され、空気を側方に排気することを特徴とする請求項１０に記載の手乾燥装置。
【請求項１２】
前記排気路は、水容器の近傍まで延在され、前記開口部は、前記排気路の水容器の外側に形成され、空気を下側に排気することを特徴とする請求項１０に記載の手乾燥装置。
【請求項１３】
前記開口部に、風向きを変更する風向変更部材を設けることを特徴とする請求項１〜１２の何れか一つに記載の手乾燥装置。
【請求項１４】
前記風向変更部材は、着脱可能であること特徴とする請求項１３に記載の手乾燥装置。
【請求項１５】
前記開口部は、水容器の近傍に形成されることを特徴とする請求項１に記載の手乾燥装置。
【請求項１６】
前記開口部は、水容器の内側に形成され、空気を下側に排気することを特徴とする請求項１５に記載の手乾燥装置。
【請求項１７】
前記開口部は、水容器の側方に形成され、空気を下側に排気することを特徴とする請求項１５に記載の手乾燥装置。
【請求項１８】
前記水容器に蓋をする孔を有する蓋体または水容器によって、前記開口部への水の通過を遮る遮水手段を構成したことを特徴とする請求項１５〜１７の何れか一つに記載の手乾燥装置。
【発明の詳細な説明】
【技術分野】
【０００１】
本発明は、洗浄後の濡れた手を高速空気流の噴射によって衛生的に乾燥処理する手乾燥装置に関するものである。
【背景技術】
【０００２】
洗浄後の濡れた手を、タオルやハンカチ等で払拭せず高速空気流の噴射により水分を吹飛ばして乾燥させる手乾燥装置が開発されている。この種の装置の多くは、ノズルから吹出された手挿入部内の空気が使用者の顔に吹き返してこないように考慮されている。
【０００３】
例えば、特許文献１には、手挿入部の側面に設けられた開口部から、ノズルより吹出された空気の一部を本体外部へ逃がしている構造の手乾燥装置が開示されている。また、特許文献２には、手挿入部の側面に開口部がなく、ノズルから吹出された空気を再度本体内に取り込んで再度ノズルから吹出す空気循環式の手乾燥装置が開示されている。
【０００４】
【特許文献１】特開２００５−３２９２６６号公報
【特許文献２】特開２００１−２９９６３６号公報
【発明の開示】
【発明が解決しようとする課題】
【０００５】
特許文献１の手乾燥装置では、手挿入部の側面の一部に開口部があり、手から飛んだ水滴が開口部より飛び出さないように開口部に遮水のための複数の板状体を間隔を隔てて直接配置して、板状体と板状体との間から手挿入部内の空気を本体外へ排気しているが、手から飛ぶ水滴には左右方向に飛ぶものもあるので、板状体と板状体の間からはどうしてもその水滴が直接本体外に飛び出してしまう。また、板状体で一旦遮水された水滴の一部は重力で垂れて板状体の下端に水滴状に溜まるため、板状体の間から本体外部に排気する空気流により吹き飛ばさされて外部へ吹き飛んだり、本体外郭表面を伝わってたれ落ちたりしてしまう。そのため、特許文献１の手乾燥装置では、使用者への風の吹き返しは低減できるが、使用するたびに徐々に手乾燥装置付近の床や部屋や、手乾燥装置の外郭の開口部付近や手乾燥装置の下部等が水滴で汚れてしまい、不衛生な状態のまま放置されることが多くなる。
【０００６】
また、特許文献２の手乾燥装置では、手挿入部側面に開口部がなく、ノズルから吹出した空気は手から飛んだ水滴と共に排気ダクトを通り、本体下部のドレンタンクに運ばれ水滴をドレンタンクに落とした後、その空気を本体内の送風機によって再度吸込み、ノズルから再度吹出す空気循環式の構成を採用している。このような空気循環式風路の場合、ノズルから吹出された空気が使用者の顔に吹き返される空気流は低減できるが、乾燥処理に使用した空気には手から飛んだ水滴を含んでいるため、大きな水滴は空気流と分離してドレンタンクに貯水きるが、微粒状の水滴は充分に除去しきれないまま送風機や本体内部風路にまで吸込まれてしまい、使用の度に徐々に水滴が製品内部に蓄積され、送風機等の故障の原因となる。また、水滴中には油脂等の手の付着成分も多く含まれており、清掃困難な本体内部風路にその付着成分が蓄積されてしまうため、雑菌の温床や異臭の発生源となる可能性がある。また、ドレンタンクに貯めた水にも手の付着成分が多く含まれており、夏場などの気温が高い場合にはすぐに腐敗して異臭を発してしまう。また、夏場でなくてもドレンタンクに貯めた水を捨てないで放っておくと時間とともに同様に腐敗してしまう。特許文献２の手乾燥装置では、ドレンタンク付近を通過した空気を吸込む構成となっているので、ドレンタンクに貯めた水が腐敗して異臭を発した場合にその異臭を含んだ空気を吸込んで、ノズルから吹出すことになり、使用者にとって非常に不快感を与え、衛生性も損なわれてしまう。
【０００７】
本発明は、上記に鑑みてなされたものであって、手に当った後の水滴を含んだ風を水滴と風とに分離して風のみを排気することで、使用者への吹き返し風を低減するとともに手挿入部から外部への水滴飛散、外郭への水垂れも同時に防止でき、さらに手挿入部内の衛生性も向上できる手乾燥装置を得ることを目的とする。
【課題を解決するための手段】
【０００８】
上述した課題を解決し、目的を達成するために、本発明は、上部のみが開口されて手を挿入する手挿入部を上側に有する本体外郭と、この本体外郭に内蔵されて高圧空気流を発生する高圧空気流発生装置と、この高圧空気発生装置により発生された高圧空気流を手挿入部に噴出するノズルと、前記本体外郭の下側に設けられる水容器と、前記手挿入部と前記水容器をつなぐ排水路とを備えた手乾燥装置において、前記ノズルより吹出された空気を排気する排気路を前記手挿入部に接続されるように前記手挿入部の下側に形成し、この排気路に空気を外部へ逃がす開口部を形成したことを特徴とする。
ただし、手挿入部の下側とは、開口部が本体外郭の側面に形成された場合には、手挿入部の最下点の下側のことをいうのではなく、手挿入部の左右端の部位の下側のことをいうものとする。
【発明の効果】
【０００９】
この発明によれば、ノズルより吹出された空気を排気する排気路を手挿入部の下側に形成し、この排気路に空気を外部へ逃がす開口部を形成するようにしたので、手から飛んだ水滴が従来技術のように空気を排気する開口部へ直接到達しなくなるため、開口部から外部へ水滴が飛するのを防止できるとともに、使用者への吹き返し風の低減、特に使用者の顔への吹き返しを抑えた使い勝手の良い手乾燥装置が得られる。すなわち、排気路に進入した水は、重力と風の力で積極的に下方向に運動エネルギーを与えられるため、開口部から外部へ放出される空気流に乗って外部へ飛び出すことはない。
【発明を実施するための最良の形態】
【００１０】
以下に、本発明にかかる手乾燥装置の実施の形態を図面に基づいて詳細に説明する。なお、この実施の形態によりこの発明が限定されるものではない。
【００１１】
実施の形態１．
図１〜図４に、実施の形態１の手乾燥装置を示す。図１は実施の形態１の手乾燥装置の外観斜視図、図２は正面断面図、図３は側面パネルを外した状態を示す斜視図、図４は側面パネルの内面側を示す斜視図である。
【００１２】
この手乾燥装置は、図１に示すように、この手乾燥装置は、背面外殻をなす背面パネル１ａと、正面外殻をなす正面パネル１ｂと、一対の側面パネル１ｃ，１ｃから構成される本体箱体（本体外郭）１を有する。本体箱体１の上部側には、背面パネル１ａ、正面パネル１ｂおよび一対の側面パネル１ｃ，１ｃによって囲まれた、手挿入部４および乾燥処理空間３として機能する凹状空間が形成されている。手挿入部４は、人が本体箱体１の正面から両手を揃えた状態で手を上下方向や斜め上下方向に挿抜できるように上側に手挿入口５を有し、深底の容器構造に構成されている。手挿入部４の底部６は、図２に示すように、中央部から左右横端部に向って下り勾配があり、その各横端部には排水・排気口７が形成されている。
【００１３】
本体箱体１内には、高圧空気流発生装置２が組み込まれている。高圧空気流発生装置２は、ＤＣブラシレスモーター（通常の整流子モーター又は誘導電動機であっても良い）と、これを駆動させる駆動回路及びＤＣブラシレスモーターによって回転するターボファン又は遠心ファンにより構成されており、制御回路によって自動運転される。高圧空気流発生装置２の吸気側は、本体箱体１内に設けられた吸気通路（図示せず）に臨んでいて、本体箱体１の底面に設けられた吸気通路端の吸込口から装置外の空気を吸込むことができるようになっている。高圧空気流発生装置２の吹出口は、途中において手挿入部４の前側と後側に二股に分岐したダクトに接続され、分岐したダクトの各端に高圧空気流発生装置２から送られてくる高圧空気流を高速の気流に変換し、手挿入部４に前方と後方から横列のライン状に高速空気流を吹出すエアーノズル８が接続されている。前後二つのエアーノズル８は、手挿入口５の近傍の正面側壁面および背面側壁面に噴出口をやや下向きにして横方向に対向状に列設されており、手挿入部４内に入れた手に高速の空気流を吹付け、手を擦り合わせることなく手に付いた水滴を手の表面から剥離し手挿入部４内へ吹飛ばす。吹き飛ばされた水滴は、手挿入部４の底部６に落下し、その後底部６に形成された勾配によって左右横端部に設けられた排水・排気口７に導かれる。
【００１４】
排水・排気口７から本体箱体１の下部に設けられた水容器９へ水を誘導する排水・排気路１０を本体箱体１の左右側部に設けている。排水・排気口７及び排水・排気路１０は、図３に示すように、本体箱体１を形成する側面パネル１ｃと本体側に設けた凹部で構成されている。水容器９は、本体箱体１に着脱自在に形成され、排水・排気路１０から導かれたドレン水を貯水する。
【００１５】
排水・排気路１０の途中には開口部１１が両側面パネル１ｃに一体で形成され、開口部１１には風向変更部材としての複数のルーバー１２が設けられている。また、図４に示すように、各側面パネル１ｃの排水・排気路１０側（裏側）には、開口部１１の上側および左右横側を囲むように突出したリブ状の遮水部１３が側面パネル１ｃに一体で設けられている。遮水部１３における開口部１１より上側に形成された庇部１３ａは、この場合、中央から前後に向かって下がる、三角屋根状の傾斜が設けてあるため、水が側面パネル１ｃの内壁を上から伝わってきても開口部１１をよけて下へ伝わるようになっている。なお、この場合は、遮水部１３における庇部１３ａを三角屋根状にしたが、前から後ろあるいは後ろから前に向かって単純にさがるような傾斜にしてもよい。また、遮水部１３における庇部１３ａには、図４の丸部に示すように、庇部１３ａの根本より先端の方が高くなるように傾斜を設けてあるので、多量の水が側面パネル１ｃの内壁を上から伝わってきても、水が庇部１３ａの先端側を乗り越えて開口部１１のほうに落下しないようにしている。尚、側面パネル１ｃは着脱可能に構成され、容易に排水・排気路１０や開口部１１を清掃できるようになっている。
【００１６】
この手乾燥装置では、手挿入口５から手挿入部４内に両手を揃えた状態で概ね手首付近まで入れると、図示しない手検知センサによって手が検知され、制御回路の処理により高圧空気流発生装置２が作動し、エアーノズル８から高い運動エネルギーを持つ高速空気流であるライン状噴流が手挿入部４内に吹出されて挿入された手の表裏に当り、手に付着した水分を手挿入部４の奥側（下側）へ吹飛ばす。さらに、手挿入部４内で手を挿抜させることによって、手全体に付着していた水分が全て排除され、手が乾燥処理される。そして手の乾燥処理終了後、手を手挿入部４から完全に抜くと、これが手検知センサーによって検知され、高圧空気流発生装置２が停止される。
【００１７】
手挿入部４において手から吹飛ばされた水は、底部６へ風と共に吹き飛ばされ、底部６に設けた横端に向う傾斜による重力と、底部６での中央から横端に向う風の力で、底部６の横端に設けた排水・排気口７に風と共に速やかに積極的に運ばれ、排水・排気路１０を下って水容器９に貯水される。
【００１８】
一方、ノズル８から吹出した風は、手に当った後、大部分は手挿入部４の底部６に到達し、底部６の傾斜効果も加わり左右横端へ向い、排水・排気口７から排水・排気路１０へ到達する。そして、水容器９には空気を外部に放出する排気口が無い為、排水・排気路１０の途中に設けた開口部１１からルーバー１２の向きに沿って外部側方へ放出される。
【００１９】
開口部１１付近の水と風の動作について説明すると、排水・排気路１０を下向きに通過する水は、重力と風の力で積極的に下方向に運動エネルギーを与えられるため、開口部１１から外部へ放出される空気流に乗って外部へ飛び出すことはない。また、開口部１１の周りには、遮水部１３が設けられているため、排水・排気路１０を形成する側面パネル１ｃの表面を伝わってきた水滴も、遮水部１３によって開口部１１をよけて流れるため、水滴が開口部１１やルーバ１２に到達することはない。以上のような動作で、水と風が分離され、風のみが開口部１１より放出されることになり、水のみを水容器９へと導くことができる。
【００２０】
このように実施の形態１によれば、ノズル８より吹出された空気を本体外部に逃がす開口部１１を手挿入部４の側方ではなく、手挿入部４より下側に形成した排水・排気路１０に設けるようにしているので、手から飛んだ水滴が直接開口部へ到達することがないため、開口部１１から外部への水滴飛散を防止できるとともに、使用者への吹き返し風の低減、特に使用者の顔への吹き返しを抑えた使い勝手の良い手乾燥装置が得られる。また、開口部１１を手挿入部４より下の本体外郭に設けたため、使用者から離れる方向、もしくは使用の顔以外、特に下半身の方向に排気できるため、排気をわずらわしく感じない使い勝手のよい手乾燥装置が得られる。また、排水・排気路１０は排水路と排気路を兼ねるので、風の流れる力を使って手挿入部４内の水を積極的に水容器９へ運ぶことができ、手挿入部４内の水滴を迅速に排水することができるため、手挿入部４の内壁で水滴が溜まって乾燥することにより水滴中に含まれている汚れ成分（油脂等の手の付着成分や、埃や塵、石鹸成分等）が手挿入部４の内壁に付着する汚れを低減できるとともに、使用中でも手挿入部４内に水滴が溜まることがないので、使用者の見た目の衛生性も向上できる。また、開口部１１の周りに遮水部１３を設けたので、開口部１１への水の到達をさらに防止でき、開口部１１から水が飛散したり、垂れ落ちたりすることのない衛生的な手乾燥装置を得ることができる。
【００２１】
実施の形態２．
つぎに、図５および図６にしたがって実施の形態２について説明する。図５は実施の形態２の手乾燥装置の正面断面図、図６は側面パネルの内面側を示す斜視図である。実施の形態２では、実施の形態１で示した手乾燥装置の開口部１１付近に設けた遮水部１３を別の形態に変更している。それ以外は実施の形態１のものと同じである。従って、実施の形態１のものと同じ部分については、実施の形態１のものと同じ符号を用い、それらについての説明は省略する。
【００２２】
図５および図６に示すように、側面パネル１ｃの排水・排気路１０側（内側）には、開口部１１を覆い隠すように、壁体で構成した遮水部１４が設けられている。遮水部１４は、図５に示すように、下側のみが開口しており、この開口１４ａから空気が開口部１１へ向かうことになる。
【００２３】
排水・排気路１０を通過する水と空気は、空気のみ遮水部１４の下部に設けた開口１４ａから上へ風が流れ、開口部１１から外部へ放出される。水滴は重力に逆らって上に上がれない為、開口部１１への遮水をより効果的に行うことができ、空気のみが外部へ放出される。
【００２４】
このように実施の形態２では、開口部１１を覆い隠すような遮水部１４を側面パネル１ｃに設けるようにしているので、実施の形態１の効果に加え、開口部１１への遮水性能を更に向上させることができるという効果を有する。
【００２５】
実施の形態３．
つぎに、図７および図８にしたがって実施の形態３について説明する。図７は側面パネルに対し風向き変更板を外した状態を示す斜視図である。この実施の形態３では、ルーバー１２を、側面パネル１ｃから着脱自在なように構成している。
【００２６】
図７に示すように、側面パネル１ｃには、矩形の孔である開口部１１が形成され、この開口部１１に対し、ルーバー１２が一体形成されたルーバー枠１２ｂが着脱自在に取り付けられる。この場合、ルーバー１２は、ルーバー枠１２ｂと一体で形成され、ルーバー枠１２ｂには弾力性のある爪部１２ｃが設けられている。したがって、ルーバー１２が一体形成されたルーバー枠１２ｂが側面パネル１ｃの開口部１１に着脱可能に嵌め込まれ、爪部１２ｃで引っ掛けて固定される。開口部１１の内側には、先の実施の形態１，２に示した遮水部１３または１４が設けられている。
【００２７】
この図７の構成では、開口部１１に着脱自在のルーバーを設けてあるため、角度の異なるルーバーに付け替えることにより自由に風向き変更することができたり、ルーバーを開口部のない蓋に付け替えることにより開口部１１を自由に塞ぐことができ、障害物などがある場合や、排気したくない方向がある場合などのさまざまな設置シーンに応じて適切に排気方向を選択することができる。
【００２８】
図８の場合は、ルーバー１２をルーバー枠１２ｂに対し回転可能にしている。ルーバー１２には突起軸１２ｄが両側に設けられ、ルーバー枠１２ｂに軸穴１２ｅが複数設けられ、突起軸１２ｄを軸穴１２ｅに嵌め込むことで、ルーバー１２が突起軸１２ｄを中心に回転可能に組み立てられている。なお、１つのルーバー枠１２ｂに取り付けられた複数のルーバー１２を同じ方向に同時に連動可動なように構成しても良い。また、図１〜図３に示すような排水・排気路１０から空気を側方に排気するような構成において、後述する図１０、図１１に示すような庇体１４を開口部１１の上方に設けるようにしてもよい。
【００２９】
この図８の構成では、ルーバーを風向きを調整可能なようにしているので、新たな部品を交換してとりつけなくてもその場で簡単に排気される風向きを自由に変更したり塞いだりすることができ、障害物などがある場合や、排気したくない方向がある場合などさまざまな設置シーンに応じて適切に排気することができる。
【００３０】
実施の形態４．
つぎに、図９〜図１１にしたがって実施の形態４について説明する。図９は実施の形態４の手乾燥装置の分解斜視図、図１０はその正面断面図、図１１は側面パネルの内側斜視図である。
【００３１】
実施の形態４では、側面パネル１ｃには排水・排気路１０に対応した位置に、排水・排気路１０側に下がるように傾斜して先端が先細りの板状の遮水手段である庇体１４を設けてある。庇体１４の先端は、排水・排気路１０の本体側凹部内壁１０ａに接触させてもよいし、接触させなくてもよい。また、側面パネル１ｃには、壁体１４の下側に、下向きに開口するように外側に張り出させた突出部としての開口部１１を設けている。
【００３２】
ノズル８から吹出された空気及び手から飛んだ水滴は、手挿入部４の底面６の両横端に設けた排水・排気口７から排水・排気路１０に入る。排水・排気路１０に入った空気は、開口部１１から下側に排気される。排水・排気路内に入った水の大部分は排水・排気路１０の本体側凹部内壁１０ａを伝わって水容器９に運ばれる。また、排水・排気路１０の残り一部の水は排水・排気路１０を形成する側面パネル１ｃの内壁を伝わって流れるが、その水は側面パネル１ｃに設けた庇体１４に伝わり、その先端に集められ滴下して水容器９に貯水される。庇体１４の先端は排水・排気路１０の製品本体側に傾斜し、その先端が水容器９の横端面より内側上方に位置しているので、先端から鉛直方向に水が滴下しても本体外に飛び出すことがなく水容器９に貯水される。この場合、開口部１１の面積を大きくして風速を下げ、滴下する水滴が風の力を受けないようにしたほうが好ましい。また、庇体１４を本体側内壁１０ａに接触させてある場合には、水は庇体１４の先端から本体内壁１０ａに伝わるため、滴下することがないので、開口部１１への風速の影響をより受けにくく、確実に水容器９へ水を導くことが出来る。
【００３３】
このように実施の形態４では、下向きに開口する開口部１１を設けるようにしているので、実施の形態１の効果に加え、側面方向に風を出したくない状況や製品側面にあまり空間を確保できない狭いスペースへの設置状況にも対応することができるという効果を有する。また、排気する開口部が見えないため、デザイン性もよくすることができる。
【００３４】
実施の形態５．
つぎに、図１２、図１３にしたがって実施の形態５について説明する。図１２は、実施の形態５の手乾燥装置の正面断面図である。この実施の形態５では、手乾燥装置の開口部１１を本体箱体１の底部に設けている。
【００３５】
排水・排気路１０の下部には水容器９が設置され、水容器９の上には水容器の蓋１５が設けられ、蓋１５の一部に設けた穴部１６に向って下がる傾斜が設けられている。また、水容器９の内側である例えば中央付近には、遮水手段である蓋１５より一段高くなるように設けられた壁１７を持った開口部１１が本体下部に向って設けられている。
【００３６】
ノズル８から吹出された空気及び手から飛んだ水滴は、排水・排気路１０を通って水容器９の蓋１５に達する。そして、水は、蓋１５より一段高くなるように設けられた壁１７によって開口部１１へ達することがなく、蓋部１５の傾斜により穴部１６に集められ水容器９へ貯められる。一方、空気は、壁部１７を乗り越えて開口部１１から外部へ放出される。尚、蓋１５の上部空間を出来るだけ広くして、空気の流速を下げるようにしたほうが好ましい。
【００３７】
図１３は、図１２の変形例であり、排水・排気路１０を装置本体の中央部に設けている、手挿入部４の底部６は、排水・排気路１０が形成される中心部に向かって下り傾斜が設けられている。また、この場合、水容器９は、装置本体より小さく形成されており、この水容器９の左右外壁と側面パネル１ｃとによって、本体下方に向かう開口部１１が形成されている。また、水容器９の蓋１５には、排水・排気路１０に対向する位置に孔１５ａが形成されおり、この孔１５ａを経由して水が水容器９に貯水される。尚、蓋１５は、孔１５ａに向かって下り傾斜が設けられている。
【００３８】
図１３の場合、ノズル８から吹出された空気及び手から飛んだ水滴は、排水・排気路１０を通って蓋１５の孔１５ａを経由して水容器９へ貯められる。一方、空気は、水容器９の上方空間を通って開口部１１から外部へ放出される。
【００３９】
このように実施の形態５では、本体の底部に開口部１１を設けるようにしているので、実施の形態１の効果に加え、側面方向に風を出したくない状況や製品側面にあまり空間を確保できない狭いスペースへの設置状況にも更に対応することができるとともに、側面に開口部がないので製品の横サイズを小さくすることができ、排気する開口部が見えないため、デザイン性も良くすることができるという効果を有する。
【００４０】
実施の形態６．
つぎに、図１４、図１５にしたがって実施の形態６について説明する。図１４は、実施の形態６の手乾燥装置の外観斜視図、図１５はその正面断面図である。この実施の形態６では、手乾燥装置の開口部１１を本体箱体１の下部に設けられた水容器９の側面に設けるようにしている。
【００４１】
水容器９の側面には排水・排気路１０と前後方向で同じ位置にならないように、すなわち排水・排気路１０の下部と対向しない位置に、１つ又は複数の開口部１１が設けられており、排水・排気路１０を通ってきた水と空気は、水のみ蓋１５の穴部１６を介して水容器９に貯水され、空気のみ開口部１１から外部に排気される。
【００４２】
このように実施の形態６では、開口部１１を本体の下側に設けられた水容器９の側面に設けているので、実施の形態１の効果に加え、開口部１１があまり目立たなく、デザイン性がよくなるという効果を奏する。
【００４３】
実施の形態７．
つぎに、図１６、図１７にしたがって実施の形態７について説明する。図１６は実施の形態７の手乾燥装置を示す分解斜視図であり、図１７はその正面断面図である。
【００４４】
図１６、図１７において、手挿入部４の底面６は中央に向って下り傾斜しており、その傾斜の最下部と水容器９の間には排水ホース１８が設けれている。手挿入部４の底面６の左右横端は、一段高く形成された立ち上げ部１９が排気口２０を囲むように設けられている。排気口２０と、側面パネル１ｃに形成された開口部１１との間には排気路２１が設けられ、開口部１１には排気する風向きを変えるルーバー１２が取り付けられている。排気口２０と排気路２１は本体側に設けられた凹部２１ａと側面パネル１ｃで構成されている。
【００４５】
また、側面パネル１ｃの手挿入部４の側方側の部位すなわち排気口２０の上方には、排気口２０を覆い隠すように庇部２２が側面パネル１ｃと一体に形成されている。庇部２２は水が流れやすいように、先端が下がるように全体に傾斜が設けられ、その先端は更に鉛直方向に曲がっており、また、製品前後方向には全体に扇状に曲率を設けて、水を流しやすくしている。
【００４６】
ノズルから吹出された空気と手から飛んだ水滴は、大部分は直接手挿入部４の底面６に到達し、左右方向に飛んだ水滴も側面パネル１ｃや庇部２２を伝わって手挿入部４の底面６に到達する。手挿入部４の底面６到達した水滴の大部分は、排水ホース１８に入り、残りは風の力で手挿入部４の底面６の左右方向に押し上げられるが、立ち上げ部１９を乗り越えることはない。そして、手挿入部４の底面６の左右方向に押し上げられた水は、手乾燥装置の運転が停止すれば、重力で手挿入部４の底面６の傾斜に沿って中央へ流れ、排水ホース１８へ流される。製品寸法が若干大きくなってしまうが、底面６の傾斜を大きくすれば、風の力より重力による力が強くなるので、手乾燥装置が運転中でも水滴を排水ホース１８へより導くこともできる。以上のようにして手から飛ばされた水滴は回収されて排水ホース１８を通り水容器９へ貯水される。
【００４７】
一方、ノズル８から吹出された空気は手挿入部４の底面６に当り、底面６の左右横端に向って流れ、排気口２０から排気路２１を通って開口部１１からルーバー１２の向きにしたがって外部へ放出される。排気口２０の周りには立ち上げ部１９があり、上部には庇部２２が排気口２０を覆い隠すように配置されているため、手から飛んだ水滴が排気口２０へ浸入することはない。
【００４８】
このように実施の形態７によれば、排水路と排気路を分離したので、実施の形態１の効果に加え、開口部１１への遮水を容易にでき、空気のみを開口部１１から確実に外部に排気することができるという効果を有する。
【００４９】
実施の形態８．
つぎに、図１８、図１９にしたがって実施の形態８について説明する。図１８は実施の形態８の手乾燥装置を示す分解斜視図であり、図１９はその正面断面図である。この実施の形態８においては、実施の形態７の手乾燥装置の開口部１１の位置を変更しており、それ以外は実施の形態７と同じである。
【００５０】
図１８、図１９に示すように、排気路２１の最下端には下向きに開口部１１が設けられており、水容器９は開口部１１により内側に設けられている。このため、開口部１１は、利用者からは見えない。
【００５１】
このように実施の形態８によれば、排気する開口部１１が装置の底部に形成されており、利用者からは見えないので、実施の形態７の効果に加え、デザイン性もよくすることができ、製品の横サイズも小さくすることができるという効果を有する。
【産業上の利用可能性】
【００５２】
以上のように、本発明にかかる手乾燥装置は、洗浄後の濡れた手を高速空気流の噴射によって衛生的に乾燥処理する手乾燥装置に有用である。
【図面の簡単な説明】
【００５３】
【図１】この発明にかかる手乾燥装置の実施の形態１の外観構成を示す斜視図である。
【図２】この発明にかかる手乾燥装置の実施の形態１の構成を示す正面断面図である。
【図３】この発明にかかる手乾燥装置の実施の形態１の外観構成を示す分解斜視図である。
【図４】この発明にかかる手乾燥装置の実施の形態１の側面パネルの内側構成を示す斜視図である。
【図５】この発明にかかる手乾燥装置の実施の形態２の構成を示す正面断面図である。
【図６】この発明にかかる手乾燥装置の実施の形態２の側面パネルの内側構成を示す斜視図である。
【図７】この発明にかかる手乾燥装置の実施の形態３の側面パネルの構成を示す斜視図である。
【図８】この発明にかかる手乾燥装置の実施の形態３のルーバー部の構成を示す分解斜視図である。
【図９】この発明にかかる手乾燥装置の実施の形態４の外観構成を示す分解斜視図である。
【図１０】この発明にかかる手乾燥装置の実施の形態４の構成を示す正面断面図である。
【図１１】この発明にかかる手乾燥装置の実施の形態４の側面パネルの内側構成を示す斜視図である。
【図１２】この発明にかかる手乾燥装置の実施の形態５の構成を示す正面断面図である。
【図１３】この発明にかかる手乾燥装置の実施の形態５の他の構成を示す正面断面図である。
【図１４】この発明にかかる手乾燥装置の実施の形態６の外観構成を示す分解斜視図である。
【図１５】この発明にかかる手乾燥装置の実施の形態６の構成を示す正面断面図である。
【図１６】この発明にかかる手乾燥装置の実施の形態７の外観構成を示す分解斜視図である。
【図１７】この発明にかかる手乾燥装置の実施の形態７の構成を示す正面断面図である。
【図１８】この発明にかかる手乾燥装置の実施の形態８の外観構成を示す分解斜視図である。
【図１９】この発明にかかる手乾燥装置の実施の形態８の構成を示す正面断面図である。
【符号の説明】
【００５４】
１  本体箱体
１ａ  背面パネル
１ｂ  正面パネル
１ｃ  側面パネル
２  高圧空気流発生装置
３  乾燥処理空間
４  手挿入部
５  手挿入口
６  底部（底面）
７  排水・排気口
８  エアーノズル
９  水容器
１０  排水・排気路
１０ａ  本体側凹部内壁
１１  開口部
１２  ルーバー
１２ｂ  ルーバー枠
１２ｃ  爪部
１２ｄ  突起軸
１２ｅ  軸穴
１３ａ  庇部
１３  遮水部
１４  庇体（遮水部、壁体）
１４ａ  開口
１５ａ  孔
１５  蓋部
１６  穴部
１７  壁部
１８  排水ホース
１９  立ち上げ部
２０  排気口
２１ａ  凹部
２１  排気路
２２  庇部
【図１】
2008000211.tif 000003
【図２】
2008000211.tif 000004
【図３】
2008000211.tif 000005
【図４】
2008000211.tif 000006
【図５】
2008000211.tif 000007
【図６】
2008000211.tif 000008
【図７】
2008000211.tif 000009
【図８】
2008000211.tif 000010
【図９】
2008000211.tif 000011
【図１０】
2008000211.tif 000012
【図１１】
2008000211.tif 000013
【図１２】
2008000211.tif 000014
【図１３】
2008000211.tif 000015
【図１４】
2008000211.tif 000016
【図１５】
2008000211.tif 000017
【図１６】
2008000211.tif 000018
【図１７】
2008000211.tif 000019
【図１８】
2008000211.tif 000020
【図１９】
2008000211.tif 000021